(57)【要約】【課題】枠に蓋を固定するボルトが、車が人等の往来で振動しても、緩まず、また、雨水等が進入しない地下構造物の固定構造を提供する。【解決手段】枠１の棚２にボルト孔３を有する突部２ａを設け、蓋４にも枠１の突部２ａの孔３に対向してボルト孔５を設け、孔５の上部を拡径孔６とし、拡径孔６に突出凹部を設け、孔３と孔５に頭部が正多角形のボルト７を挿入し、拡径孔６に挿入しうる大きさのリングで、リングの内面がボルト７の頭部８の中心から角に至る半径と同じ半径とそれより短い半径が交互に配した鋸歯状をなし、外周に拡径孔６の突出凹部に挿入しうる突部１１を設けたストッパー９をボルト７の頭部８に嵌め、突部１１を突出凹部１２に挿入し、ストッパー９及びボルト７の頭部８の上方にゴムキャップ１０を嵌合する。【選択図】　　　図１
2004011244.tif 000002
【特許請求の範囲】
【請求項１】
地下構造物の枠の内面壁の棚に設けた複数の突部にボルト挿入用の孔を設け、
蓋の周縁部に、前記棚の突部の孔に対応したボルト挿入用の孔と、その孔の上部に拡径凹部と該拡径凹部の周縁に連続して更に拡径した突出凹部を設け、
前記棚の突部のボルト用の孔と前記蓋のボルト用の孔とに、正多角形の頭部を有するボルトを挿入し、
前記蓋の拡径凹部に挿入できるリング状で、リングの内面が、前記ボルトの頭部の中心から角（かど）に至る半径とほぼ同じ半径と短い半径が交互に配設した鋸歯状をなし、外周に、前記蓋の拡径凹部に連続する突出凹部に余裕をもって挿入しうる突部を設けた、前記ボルトの回動を防止するストッパーを、前記ボルトの頭部に嵌めて、該ストッパーのリング部を前記蓋の拡径凹部に挿入し、かつ、該ストッパーの突部を、前記拡径凹部に連続する突出凹部内に挿入し、
前記ストッパーおよび前記ボルトの頭部の上方の拡径凹部および突出凹部に嵌合しうる形状のゴムキャップを前記拡径凹部および突出凹部に嵌合してなる、
地下構造物の蓋の固定構造。
【請求項２】
蓋の拡径凹部の周縁に連続して更に拡径した突出凹部が、１または対称的に２箇所に設けられ、ストッパーの突部が１箇所または対称的に２箇所に設けられてなることを特徴とする請求項１に記載の地下構造物の蓋の固定構造。
【発明の詳細な説明】
【０００１】
【発明の属する技術分野】
この発明は、キャブシステム、集水または排水のマンホールや、水道、ガスのメーターの収納ボックス等地下構造物の蓋の固定構造に関するものである。
【０００２】
【従来の技術】
従来の地下構造物は、地下構造物の枠の開口縁部内面の蓋受け棚とそれに対応する蓋の縁部に孔を設け、ボルトを挿入し、ナットを締め付けて固定している。
【０００３】
【発明が解決しようとする課題】
従来の地下構造物の枠と蓋との上記の固定では、蓋の上を車や人の往来の繰り返しで、蓋の振動によりボルトが回動し、ボルトが緩んで、ナットが脱落し、ガスの発生で蓋が開いたり、悪戯等で道具を使わなくてもボルトを抜いて蓋が開けられるおそれがある。
また、ボルトと蓋の孔の内壁との隙間に雨水や汚れが浸入し、ボルトが腐蝕し、蓋の上を車や人が往来することによる蓋の振動でボルトが磨耗し、雨水等の浸入がひどくなり、ボルトが緩み蓋が外れるおそれがある。
【０００４】
この発明は、枠に蓋を固定するボルトが車や人等の往来により蓋が振動しても緩まず、また、雨水等が浸入しない地下構造物の固定構造を提供することを目的とする。
【０００５】
【課題を解決するための手段】
地下構造物の枠の内面壁の棚に設けた複数の突部にボルト挿入用の孔を設け、蓋の周縁部に、前記棚の突部の孔に対応したボルト挿入用の孔と、その孔の上部に拡径凹部と該拡径凹部の周縁に連続して更に拡径した突出凹部を設け、
前記棚の突部のボルト用の孔と前記蓋のボルト用の孔とに、正多角形の頭部を有するボルトを挿入し、
前記蓋の拡径凹部に挿入できるリング状で、リングの内面が、前記ボルトの頭部の中心から角（かど）に至る半径とほぼ同じ半径と短い半径が交互に配設した鋸歯状をなし、外周に、前記蓋の拡径凹部に連続する突出凹部に余裕をもって挿入しうる突部を設けた、前記ボルトの回動を防止するストッパーを、前記ボルトの頭部に嵌めて、該ストッパーのリング部を前記蓋の拡径凹部に挿入し、かつ、該ストッパーの突部を、前記拡径凹部に連続する突出凹部内に挿入し、
前記ストッパーおよび前記ボルトの頭部の上方の拡径凹部および突出凹部に嵌合しうる形状のゴムキャップを前記拡径凹部および突出凹部に嵌合する。
【０００６】
蓋の拡径凹部の周縁に連続して更に拡径した突出凹部を、１または対称的に２箇所に設け、ストッパーの突部を１箇所または対称的に２箇所に設けるのが好ましい。
【０００７】
【発明の実施の形態】
この発明の実施の形態を図面により説明する。
この発明に係る地下構造物の蓋の固定構造は、地下構造物の枠１の内面壁の蓋受け用の棚２の複数の箇所に、好ましくは４箇所に、枠１の中心方向に設けた突部２ａと、その突部２ａのそれぞれに設けたボルト挿入のための孔３と、蓋４の周縁部で、前記棚２の突部２ａの孔３に対応した位置に設けた、ボルト挿入のための孔５と、その孔５の上部に設けた拡径凹部６と、孔３と孔５に挿入するための、頭部８が正多角形の角形のボルト７と、ボルト７の頭部８を嵌合させる内孔を有してボルト７の回動防止用のストッパー９と、ボルト７の頭部８の上方で拡径凹部６を塞ぐゴムキャップ１０とよりなる。
【０００８】
ストッパー９は、図３（Ｃ）に示すように、その内径は、ボルト７の頭部８の中心から角（かど）に至る半径ｒとほぼ同半径と半径ｒよりも短い半径を交互に配設した鋸歯状内壁を形成し、外周に１つの突部１１を突設したものである。
【０００９】
蓋４の孔５の拡径凹部６は、ストッパー９が余裕を持って挿入しうる形状で、図４に示すように、ストッパー９のリング状部が挿入しうる円形凹部と、その円形凹部を拡径した、リング９の突部１１を挿入するための突出凹部１２、１２を対称的に連設したものである。突出凹部１２は１個でもよい。
拡径した突出凹部１２は、後述のように、ボルト７を締め付けたときのボルト７の頭部８の角の方向が幾分振れてもストッパー９の突部１１が納まるように余裕ある大きさとする。
【００１０】
ゴムキャップ１０は、図３（Ａ）に示すように、蓋４の拡径凹部６に嵌合する形状で、円板状の本体の外周に、拡径凹部６の更に拡径した突出凹部１２に嵌合する突部１４を対称的に設ける。突出凹部１２が１箇所である場合には、突部１４も１箇所に設ける。
拡径凹部６の内壁面に孔１３を設けて、ゴムキャップ１０の外壁面に抜け止めの突部１５を設け、突部１５が孔１３に嵌入できるようにするのが好ましい。
【００１１】
枠１の棚２の突部２ａの孔３の両側にボルト７を挿入しうる孔１６、１６を設け、それら孔１６に対応して孔１７、１７と、孔３に対応してボルト７の挿入用の螺孔１８を設けた座金１９を当接し、孔１６と孔１７にボルト２０を挿入し、ナット２１を締め付けて座金１９を固定する。
【００１２】
枠１と蓋４との固定は次のとおりに行う。
すなわち、蓋４を枠１の棚２に載置した後に、蓋４の拡径凹部６に座金２２を載置し、その孔と拡径凹部６内の孔５と棚２の突部２ａの孔３にボルト７を挿入し、ボルト７を回転させて、ボルト７の先端部のネジ部を棚２の突部２ａの下面に当接固定した座金１９の螺孔１８に螺入することにより、ボルト７で枠１と蓋４とを固定する。
【００１３】
次いで、ストッパー９を、その突部１１を拡径凹部６の突出凹部１２に挿入した状態で、ボルト７の頭部８に嵌める。
この際頭部８の角がストッパー９の鋸歯状内面の半径ｒの大きい方に嵌合する。
【００１４】
この場合の蓋４の拡径凹部６、ストッパー９およびボルト７の頭部８との関係を図５により説明する。
図５においてはボルト７の頭部８は正六角形である。拡径凹部６の中心Ｏと突出凹部１２、１２の中心を通る軸線をＸとし、ストッパー９の中心Ｏと突部１１の中心を通る軸線をＹとする。
【００１５】
ボルト７の頭部８は、ボルト７の締め具合で、頭部８の対向する２辺が常に拡径凹部６の軸線Ｘと直角をなすとは限らない。
図５の（Ａ）は頭部８の対向する２辺が軸線Ｘと直角状態であり、軸線Ｘと軸線Ｙとが一致する場合であり、（Ｂ）は、頭部８の対向する２辺が軸線Ｘと直角状態であり、軸線Ｙが図において右に１０度偏った状態である。
【００１６】
上記の（Ａ）と（Ｂ）の例では、頭部８の対向する２辺がストッパー９の軸線Ｙに直角にして　頭部８にストッパー９を嵌合したが、ストッパー９の内壁面は鋸歯状をなしているので、（Ｃ）に示すように、鋸歯を選ぶことにより、すなわちずらすことにより、直角でない角度で頭部８にストッパー９を嵌合させることができる。すなわち、頭部８とストッパー９の嵌合状態を意識しないで嵌合できる。
ただし、この場合、ストッパー９の突部１１が拡径凹部６の突出凹部１２内に納まる状態で頭部８にストッパー９を嵌合するものとする。
そして、（Ｃ）は軸線Ｙが図において左に１０度偏った場合を示す。
すなわち、（Ｂ）および（Ｃ）は、ストッパー９の突部１１が、突出凹部１２の側壁幅内で、軸線Ｘと軸線Ｙが交叉した状態であることを示す。
【００１７】
枠１に蓋４をボルト７とストッパー９で固定したら、ゴムキャップ１０を拡径凹部６および突出凹部１２に嵌合する。
その際ゴムキャップ１０の外周壁の突部１５は、弾性で拡径凹部６の内壁の孔１３に嵌入し、嵌入した後は強い力でゴムキャップ１０が引き上げられない限り抜け止めをする。
【００１８】
拡径凹部６および突出凹部１２に嵌合したゴムキャップ１０は雨水等の浸入を防止するが、更に防水を確実にするために、ボルト７を蓋４の孔５に挿入したときに孔５の内壁面に当接するボルト７の外周面に１または複数のリング溝を設けＯリング２３を嵌めるのが好ましい。
【００１９】
枠１の内面壁や棚２の面にリング溝を設け、Ｏリング２４やリング状のパッキング２５を嵌めて防水するのが好ましい。
【００２０】
本件固定構造による枠１と蓋４の固定では、蓋が車や人の往来で震動してボルト７が回動しようとしても、頭部８に嵌めてあるストッパー９の突部１１が、蓋４の拡径凹部６の突出凹部１２の側壁に当接してそれ以上回動しない。
従って、蓋４の拡径凹部６の凹部１２の幅は、ストットー９の突部１１の幅よりも大きくするが、その差は余り大きくしないで、Ｘ軸とＹ軸との交叉角度を約２０度以内とするのが好ましい。
【００２１】
ストッパー９は、突部１１を１個設けたが、図６に示すように、突部１１を対称的に２個設けたストッパー９ａを用いてもよい。
この場合には、蓋４の拡径凹部６は、上記実施例の突出凹部１２が対称的に２つ設けられたものを用いる。
【００２２】
ストッパー９ａを用いる場合には、ゴムキャップは上記の実施例の突部１４を２個設けたゴムキャップ１０を用いてもよい。
ただし、ストッパー９のように、突部１１を１個設けた場合には、突部１４が２個のゴムキャップ１０を用いるか、または、図７に示すように、突部１４が１個のゴムキャップ１０ａを用いるが、突部１４が１個のゴムキャップ１０ａをもちいる場合には、拡径凹部６に凹部１２を１つ設けた蓋を用いる。
【００２３】
ストッパー９または９ａを蓋４の拡径凹部６および突出凹部１２から取り外す際に、指先が突出凹部１２に入ってストッパー９または９ａの突部を引き上げ易くするために、図５および図８に示すように、突出凹部１２、１２の双方またはいずれか一方のＸ軸における長さを指先が入るように長くするのが好ましい。この場合には、ゴムキャップは拡径凹部６および突出凹部１２の形状に対応した形状とする。
ゴムキャップ１０または１０ａを拡径凹部６および突出部１２から取り外しし易くするために、ゴムキャップの突部１４の上縁角（かど）に切り欠き２６を設けるのが好ましい。ゴムキャップ１０または１０ａを取り外す際には、切り欠き２６に指先やドライパーの先等を入れてゴムキャップ１０または１０ａをこじ上げて外す。
【００２４】
【発明の効果】
この発明は、枠に蓋を固定するボルトが車や人等の往来により蓋が振動しても緩まず、また、雨水等が浸入してボルトが腐蝕することがなく、蓋と枠との固定状態が維持される。
【図面の簡単な説明】
【図１】この発明に係る地下構造物の枠と蓋の固定構造の側面断面説明図である。
【図２】この発明に係る地下構造物の枠と蓋の固定構造の正面断面説明図である。
【図３】固定構造に用いるゴムキャップ、ストッパーおよびボルトの斜視図である。
【図４】縁部に拡径凹部および突出凹部のある蓋の縁部の要部斜視図である。
【図５】固定構造に用いるゴムキャップ、ストッパーおよびボルトの嵌合状態の説明図である。
【図６】他の実施の形態のストッパーの斜視図である。
【図７】他の実施の形態のゴムキャップの斜視図である。
【図８】他の実施の形態の、固定構造に用いるゴムキャップ、ストッパーおよびボルトの嵌合状態の説明図である。
【符号の説明】
１　　枠
２　　棚
３　　孔
４　　蓋
５　　孔
６　　拡径凹部
７　　ボルト
８　　頭部
９　　ストッパー
１０　ゴムキャップ
１１　突部
１２　突出凹部
１３　突縁
１４　突部
１５　突部
１６　孔
１７　孔
１８　螺孔
１９　座金
２０　ボルト
２１　ナット
２２　座金
２３　Ｏリング
２４　Ｏリング
２５　リング状パッキング
２６　切り欠き
【図１】
2004011244.tif 000003
【図２】
2004011244.tif 000004
【図３】
2004011244.tif 000005
【図４】
2004011244.tif 000006
【図５】
2004011244.tif 000007
【図６】
2004011244.tif 000008
【図７】
2004011244.tif 000009
【図８】
2004011244.tif 000010